(57)【要約】      （修正有）【課題】騒音と雨と強風とを遮断できる建物用天窓を提供する。【解決手段】内枠１を有し、内枠１の前側には、外枠２が設けられ、内枠１と外枠２との間には、防水毛布６が挟めれ、外枠２の後側には、固定枠４が設けられ、固定枠４が内枠１に係止され、外枠２の上縁には、窓枠３が枢着され、窓枠３と外枠２との間には、シールパッキンが設けられ、窓枠３の中央には、ガラス窓３１が設けられる。【選択図】図１
0003155096.tif 000002
【実用新案登録請求の範囲】
【請求項１】
内枠を有し、
前記内枠の前側に外枠が設けられ、
前記内枠と前記外枠との間に防水毛布が挟持され、
前記外枠の後側に固定枠が設けられ、
前記固定枠が前記内枠に係止され、
前記外枠の上縁に窓枠が枢着され、
前記窓枠と前記外枠との間にはシールパッキンが設けられ、
前記窓枠の中央にはガラス窓が設けられることを特徴とする建物用天窓。
【請求項２】
前記固定枠には前記内枠に係止される湾曲部が形成され、前記内枠には係止部が設けられ、前記外枠には前記係止部と係止する結合部が設けられることを特徴とする、請求項１に記載の建物用天窓。
【請求項３】
前記窓枠は、前記ガラス窓の周縁に応じてガラス押え条が設けられ、前記ガラス押え条が前記ガラス窓の周縁に係止されることを特徴とする、請求項１に記載の建物用天窓。
【考案の詳細な説明】
【技術分野】
【０００１】
本考案は建物用天窓に関し、特に騒音と雨と強風とを遮断することができる建物用天窓に関するものである。
【背景技術】
【０００２】
一般の人々は採光の良い建物に暮らすことが大好きである。その理由は充分な自然の光源を有する建物に暮らすと、愉快な心地を保持することができることにある。充分な自然の光源を得るためには、窓が不可欠である。従来の窓は、摺動式の窓があることのほかに、外側に押し開きできる窓もある。外側に押し開けることができる窓は、窓枠にハンドルが設けられていて、ハンドルを操作して窓を緊密にシールすることができる。
【０００３】
しかしながら、外側に押し開けることができる窓を天窓とする場合には、雨が窓の外部に溜まって隙間を通じて建物内に侵入し易いので、このような窓を天窓に適用することができない。
【考案の概要】
【考案が解決しようとする課題】
【０００４】
本考案の主な目的は、騒音と雨と強風とを遮断することができる建物用天窓を提供することにある。
【課題を解決するための手段】
【０００５】
本考案の請求項１に記載の建物用天窓によると、内枠を有し、内枠の前側には、外枠が設けられ、内枠と外枠との間には、防水毛布が狭持され、外枠の後側には、固定枠が設けられ、固定枠が内枠に係止され、外枠の上縁には、窓枠が枢着され、窓枠と外枠との間には、シールパッキンが設けられ、窓枠の中央には、ガラス窓が設けられることを特徴とする建物用天窓である。
【０００６】
本考案の請求項２に記載の建物用天窓によると、固定枠には、内枠に係止される湾曲部が形成され、内枠には、係止部が設けられ、外枠には、係止部と係止する結合部が設けられる。
【０００７】
本考案の請求項３に記載の建物用天窓によると、窓枠は、ガラス窓の周縁に応じてガラス押え条が設けられ、ガラス押え条がガラス窓の周縁に係止される。
【考案の効果】
【０００８】
本考案の建物用天窓によれば、次のような効果がある。
（１）本考案の内枠は、建物を建築しているときに建物のＲＣ構造に嵌め込み、内枠の前側に外枠と窓枠を固定することができる。そのため、内枠とＲＣ構造とが一体となって、内枠とＲＣ構造との間に隙間がなくなるので、雨の侵入を完全に防止することができる。
【０００９】
（２）内枠と外枠との境界には、固定枠が設けられる。固定枠にはＬ字形を呈する横断面を有する湾曲部が形成される。固定枠と湾曲部とがそれぞれ外枠と内枠とに押付けられるため、外枠と内枠とが押されるときに全体が変形せず、見栄えも良くなる。
【００１０】
（３）外枠と内枠との間には防水毛布が挟まれ、外枠の前側には窓枠が枢着され、窓枠と外枠との間にはシールパッキンが挟まれるので、騒音と雨と強風とを遮断することができる。
【００１１】
（４）内枠の寸法を煉瓦の寸法の整数倍にすることができるので、建物のＲＣ構造に内枠を嵌め込んだ後、煉瓦を分割せずに敷きを順調に実施することができ、工数を減少することができる。  
【図面の簡単な説明】
【００１２】
【図１】本考案の一実施形態の建物用天窓の断面図である。
【図２】本考案の一実施形態の建物用天窓の断面図である。
【図３】本考案の一実施形態の建物用天窓の拡大断面図である。
【図４】本考案の一実施形態の建物用天窓が開けられた状態の断面図である。
【図５】本考案の一実施形態の建物用天窓が開けられた状態の断面図である。
【図６】本考案の一実施形態の建物用天窓の使用状態を示す模式図である。
【図７】本考案の一実施形態の建物用天窓が開けられた状態の模式図である。
【考案を実施するための形態】
【００１３】
以下、本考案の実施の形態を図面に基づいて説明する。
まず、図１を参照する。本考案の一実施形態の建物用天窓は、内枠１と、外枠２と、窓枠３と、固定枠４と、を含む。
【００１４】
前記内枠１の内縁の前側には、前記外枠２を結合する係止部１１が設けられる。前記係止部１１の内側壁には、固定穴１２が複数設けられ、前記外枠２の固定具２２が前記固定穴１２に締結される。
【００１５】
前記外枠２の内縁には、前記内枠１の内縁の係止部１１と係止する結合部２１が形成される。前記結合部２１の内側壁には、複数の固定具２２（例えばネジなど）が貫入される。これらの固定具２２が前記内枠１の各固定穴１２に締結され、且つ前記外枠２の上端にある結合部２１の外壁に沿って、窓枠３に枢着される枢着器２３が複数設けられる。
図３に示すように、前記枢着器２３の内側には、シールパッキン２４が設けられ、前記シールパッキン２４により、前記窓枠３と前記外枠２との間の密封性が向上する。
また、前記外枠２の底端にある前記結合部２１の外側には、係り部２５が設けられ、前記窓枠３に設けられたハンドル３３は前記係り部２５と係合することができる。
【００１６】
前記窓枠３の中央には、ガラス窓３１が設けられる。前記ガラス窓３１は強化されたガラスでもよい。前記ガラス窓３１の周縁には、ガラス押え条３２が複数設けられる。前記ガラス押え条３２は、前記ガラス窓３１の周縁に係止され、前記ガラス窓３１を固定する効果を有する。
前記窓枠３の内周縁の底端には、前記外枠２の底端にある係り部２５に応じてハンドル３３が枢着される。前記ハンドル３３の近傍には、前記外枠２の底端にある係り部２５と係止する係り縁３３１が設けられる。図２に示すように、前記窓枠３の両側には、伸縮ロッド３４がそれぞれ枢着される。
【００１７】
前記固定枠４には、貫通孔４１が複数設けられる。前記外枠２の結合部２１の後側には、前記貫通孔４１に対応する貫通孔が設けられる。前記固定具２２は、これらの貫通孔に螺入され、前記外枠２と前記固定枠４とを締結する。前記固定枠４の後側には、湾曲部４２が形成される。これにより、前記固定枠４の横断面形状がＬ字形を呈し、前記固定枠４と前記湾曲部４２とは、前記内枠１の係止部１１に係止される。
【００１８】
次に、図１から図３を参照しながら、本考案の一実施形態の建物用天窓の組付方法を説明する。
まず、前記内枠１とＲＣ構造５とが隙間なく一体になるように、建物のＲＣ構造５に前記内枠１を嵌め込んで、前記ＲＣ構造５の表面と、前記内枠１の前側とに防水毛布６をカバーする。前記内枠１の内縁にある係止部１１に、前記外枠２の内縁にある前記結合部２１を係合する。前記結合部２１と前記係止部１１との境界に前記固定枠４を設ける。前記固定枠４を前記外枠２の前記結合部２１に押し付け、前記湾曲部４２を前記内枠１の前記係止部１１に押付ける。そうすると、外枠２と内枠１とが押されるときに全体が変形せず、見栄えも良くなる。
また、前記内枠１に設けられた前記各固定穴１２と、前記固定枠４に設けられた前記各貫通孔４１とに、前記外枠２の前記各固定具２２を螺入することにより、前記内枠１の前記係止部１１が前記結合部２１と前記固定枠４との間に固定される。セメントにより前記固定枠４の外側を覆い固定し、前記外枠２に設けられた前記結合部２１と、前記内枠１に設けられた係止部１１との間は、前記防水毛布６が挟まれるので、雨が前記内枠１と前記外枠２との間に侵入することができない。
また、前記外枠２の上端に設けられた各枢着器２３の一側に前記窓枠３の上端を固定し、前記外枠２の両側に前記窓枠３の両側に設けられた二つの伸縮ロッド３４をそれぞれ枢着することにより、前記外枠２のシールパッキン２４が前記窓枠３と前記外枠２との間に挟まれる。そうすると、雨の侵入を確実に防止することができる。
また、前記窓枠３の底端が前記外枠２の底端に設けられた係り部２５を覆い、前記窓枠３に設けられた前記ハンドル３３を旋回し、前記外枠２に設けられた係り部２５の内側に、前記ハンドル３３に設けられた係り縁３３１を係合することにより、騒音と雨と強風とを確実に遮断することができる。
【００１９】
また、図１、図４及び図５を参照しながら、本考案の一実施形態の建物用天窓の使用状態を説明する。
前記外枠２に設けられた係り部２５の内側に前記係り縁３３１が係合しないように、前記窓枠３に設けられた前記ハンドル３３を旋回すると、前記外枠２に設けられた前記各枢着器２３を中心として前記窓枠３を外側に旋回して、前記伸縮ロッド３４によって前記窓枠３を支持することができる。
また、図６及び図７を参照する。前記内枠１の寸法を煉瓦７の寸法の整数倍にすることにより、建物のＲＣ構造５に前記内枠１を嵌め込んだ後、煉瓦７を分割せずに敷きを順調に実施することができ、工数を減少することができる。
【産業上の利用可能性】
【００２０】
本考案は、建物用の天窓に適用することができる。
【００２１】
このように本考案を例示して説明したが、これらの例は考案の説明のためだけのものであり、本考案を限定するものではなく、この分野に通常の知識を有する者が本考案の精神および範囲を逸脱することなく、ここに開示した実施例に変更、追加、または、削除を施したものを本考案に含まれるものである。
【符号の説明】
【００２２】
１：内枠、２：外枠、３：窓枠、４：固定枠、５：ＲＣ構造、６：防水毛布、７：煉瓦、１１：係止部、１２：固定穴、２１：結合部、２２：固定具、２３：枢着器、２４：シールパッキン、２５：係り部、３１：ガラス窓、３２：ガラス押え条、３３：ハンドル、３４：伸縮ロッド、４１：貫通孔、４２：湾曲部、３３１：係り縁。
【図１】
0003155096.tif 000003
【図２】
0003155096.tif 000004
【図３】
0003155096.tif 000005
【図４】
0003155096.tif 000006
【図５】
0003155096.tif 000007
【図６】
0003155096.tif 000008
【図７】
0003155096.tif 000009